(57)【要約】【課題】  現在流通している主流な構造を有する傘に対して、外観を変化させずに、風が吹いたときに、傘の内側から外側へ空気を排出可能にするための通風傘布固定具を提供する。【解決手段】石突部を省略しつつ、上方から傘布を固定する鍔部を有し、かつ、通風孔を具備する上部笠状通風部材と、下方から傘布を固定する鍔部を有し、かつ、上方へ空気を通風させるの筒部を具備する下部通風部材との上下２部品の組み合わせにより、前記上下鍔部をもって傘布を挟持固定すると同時に、傘の内側から外側へ風を排出させる通風路を形成させ、空気の排出を可能とするものである。【選択図】図１４
0003136738.tif 000002
【実用新案登録請求の範囲】
【請求項１】
傘の軸柄が傘の先端まで貫通し、特定形状を具備する石突を装着せずに軸柄の先端そのものが石突を兼ねる構造を具備する傘において、頂部に前記軸柄に嵌着・貫通させるための孔と、その周壁に空気を通風させる複数の通風孔と、底部に傘布を上方から固定する輪状の鍔部を具備する上部笠状通風部材、及び、その内周壁を空気を通風させる通風孔とする通風筒と、該通風筒の外周壁に傘布を下方から固定する輪状の鍔部と、前記通風筒の底部に傘のろくろとの間隙を形成・維持するための複数の間隙壁を具備する下部通風部材により構成される傘布を介して上下に分割配置される上下一対の部材であって、前記上部笠状通風部材と下部通風部材が連結一体化すると、傘布の中心の孔周辺の傘布を上方と下方から挟持固定することとなるとともに、前記一体化した上下部材の内部に傘の内側から外側へ連通する通風路を形成し、傘の内側の空気を前記通風路を介して外側に排出することができるようにしたことを特徴とする通風傘布固定具。
【請求項２】
傘の軸柄が傘の先端まで貫通し、特定形状を具備する石突を装着せずに軸柄の先端そのものが石突を兼ねる構造を具備する傘において、截頭円錐形状の円筒であって、その周壁に空気を通風させる複数の通風孔と、底部に傘布を上方から固定する輪状の鍔部を具備する上部笠状通風部材、及び、その内周壁を空気を通風させる通風孔とし、かつ、その外周壁を前記上部笠状通風部材の輪状の鍔部の内周壁に嵌合接続可能に形成した通風筒と、該通風筒の外周壁の底部に傘布を下方から固定する輪状の鍔部と、前記通風筒の底部に傘のろくろとの間隙を形成・維持するための複数の間隙壁を具備する下部通風部材により構成される傘布を介して上下に分割配置される上下一対の部材であって、前記上部笠状通風部材と下部通風部材が嵌合一体化すると、傘布の中心の孔周辺の傘布を上方と下方から挟持固定することとなるとともに、前記一体化した上下部材の内部に傘の内側から外側へ連通する通風路を形成し、傘の内側の空気を前記通風路を介して外側に排出することができるようにしたことを特徴とする通風傘布固定具。
【考案の詳細な説明】
【技術分野】
【０００１】  本考案は、雨天時における雨傘、及び、晴天時に用いられる日傘に関するものである。
【背景技術】
【０００２】  風が傘の内側から外側へ排出するように構成された傘は、傘布による空気抵抗を軽減できる結果、傘自体の破壊を防ぐことができるとともに、手や手首の負担を軽くすることができることからこれまで種々開発されてきた。
【考案の開示】
【考案が解決しようとする課題】
【０００３】            実用新案登録第３１１９２８４号公報
上記の文献に係る考案は、傘の石突を笠状に変形するとともに、通風孔を具備する筒状部品を傘布を隔てて上下に分割して配置し、傘の内側から外側へ風が通風する通風路を形成させる構成を有するものである。
上記考案は、石突をキャップとして軸柄の先端に差し込む構造を有するゴルフ傘のような主に大型の傘には有用である。【０００４】  しかし、上記の考案を使用できる構造を有する傘は現在では旧型のもので、現在では、これよりも製造コストを低減すべく、図１に記載する構造の傘のように、軸柄ｃが傘の先端まで貫通し、軸柄ｃの先端そのものが石突を兼ねるようになっていて、金属の笠形状のものを傘布の上部から押さえつける構造となっている傘が完成された形態のものとして主流となっている。
そのため、上記の考案に係る構成ではやや大きいため、傘の上部のデザインを大きく変更することとなり、その結果、デザインのバランスを崩してしまい、一般品への応用が困難となっている状況である。
よって、上記の構造にも対応した外観をできるだけ変更しないような新たな構成を有する通風傘布固定具を開発する必要がある。【０００５】  また、文献に係る考案では、傘布ｄを上下から挟持固定する構造であるが、これでは傘布ｄの孔の中心と通風孔の中央とが使用している間にずれを生ずる場合があり、これを防止すべく接着材を使用しなければならない場合もある。
さらに、上記考案では、３つの部品を用いているものであるが、国内流通１億本という状況を考慮すると、１つでも部品を少なくして１円単位のコストを削減することができれば長期的には大きな利益につながるものである。【０００６】  本考案は、上記のような課題を解決すべく考案されたもので、石突部を省略しつつ、傘布ｄ上部の部品の機能と同様な機能を一部品に持たせることとした上部笠状通風部材Ａと、傘布ｄの中心孔と通風孔の中心点を一致させることを容易にするよう改良した下部通風部材Ｂとの上下２部品の組み合わせにより、傘の内側から外側への風の排出を可能とするものである。
【課題を解決するための手段】
【０００７】  上記目的を達成するために、本考案は、傘の軸柄が傘の先端まで貫通し、特定形状を具備する石突を装着せずに軸柄の先端そのものが石突を兼ねる構造を具備する傘において、頂部に前記軸柄に嵌着・貫通させるための孔と、その周壁に空気を通風させる複数の通風孔と、底部に傘布を上方から固定する輪状の鍔部を具備する上部笠状通風部材、及び、その内周壁を空気を通風させる通風孔とする通風筒と、該通風筒の外周壁に傘布を下方から固定する輪状の鍔部と、前記通風筒の底部に傘のろくろとの間隙を形成・維持するための複数の間隙壁を具備する下部通風部材により構成される傘布を介して上下に分割配置される上下一対の部材であって、前記上部笠状通風部材と下部通風部材が連結一体化すると、傘布の中心の孔周辺の傘布を上方と下方から挟持固定することとなるとともに、前記一体化した上下部材の内部に傘の内側から外側へ連通する通風路を形成し、傘の内側の空気を前記通風路を介して外側に排出することができるようにしたことを特徴とするものである。【０００８】  また、本考案は、傘の軸柄が傘の先端まで貫通し、特定形状を具備する石突を装着せずに軸柄の先端そのものが石突を兼ねる構造を具備する傘において、截頭円錐形状の円筒であって、その周壁に空気を通風させる複数の通風孔と、底部に傘布を上方から固定する輪状の鍔部を具備する上部笠状通風部材、及び、その内周壁を空気を通風させる通風孔とし、かつ、その外周壁を前記上部笠状通風部材の輪状の鍔部の内周壁に嵌合接続可能に形成した通風筒と、該通風筒の外周壁の底部に傘布を下方から固定する輪状の鍔部と、前記通風筒の底部に傘のろくろとの間隙を形成・維持するための複数の間隙壁を具備する下部通風部材により構成される傘布を介して上下に分割配置される上下一対の部材であって、前記上部笠状通風部材と下部通風部材が嵌合一体化すると、傘布の中心の孔周辺の傘布を上方と下方から挟持固定することとなるとともに、前記一体化した上下部材の内部に傘の内側から外側へ連通する通風路を形成し、傘の内側の空気を前記通風路を介して外側に排出することができるようにしたことを特徴とするものである。
【考案の効果】
【０００９】  本考案は、上記の如く構成されているので、現在主流となっている構造の傘に対しても全体のデザインを損なうことなく傘の内側から外側へ風を排出することができるという機能を付加することができることとなり、強風に対する傘の破壊・変形の防止、及び風に対する抵抗の軽減による身体的付加を低減することが達成でき、これにより傘の販売促進が可能となる。
また、石突、及び上下の通風部材の３部品からさらに構造を簡素化した２部品とすることにより、石突を製造するという生産の一工程を削除できるため、生産効率の向上によって従来よりコストダウンを図ることができるのみならず、傘の頂部をさらに軽量化することにも寄与するものである。
また、傘布ｄの孔を部材の筒部に嵌め込むという構造に改良したため、傘布ｄの孔と通風部材の中心の一致が確実に行えるようになるとともに、その後の使用による中心のずれも発生しなくなる。
【考案を実施するための最良の形態】
【００１０】以下、本考案の実施形態につき、添付図面を参照して詳細に説明する。
【実施例１】
【００１１】  図２は、本考案に係る下部通風部材Ｂの形状を示したもので、図３は、その正面図である。
同図に示すように、下部通風部材Ｂは、傘布の下とろくろの間に設置されるもので、傘布の内側から空気、又は風を外側へ通風させる部品であり、該下部通風部材Ｂは、通風筒１と該部の底部に内径を一致させて外径を径大にした鍔部２と、該鍔部２の下部に下方から見て十字状に配置される複数の間隙壁３から構成され、これらは強度を維持すべく一体的に形成されている。
図４に示すように、通風筒１は、空気、又は風を通風させる部分であるが、今回の傘の構造においては、軸柄ｃが中心を直径１センチ程度で貫通して面積を専有することとなる。よって全体の口径をできるだけ小さくまとめつつ全体の通風可能面積を確保するため、また、該内部において、できるだけ自由な空気の流動を可能とするべく、通風筒１の内径には仕切り板や軸柄ｃに覆う筒等は設けていない。  これは、本考案の通風筒１は、構造上石突等の外部から衝撃を受けることがないことから強度を考慮する必要性も低いことによるためであり、そのことから筒自体の厚みも図面上省略できるほど薄いものとして良い。ただし、本考案を大型のものに転用するような場合は強度維持のための前記のような板等を設けても良いのは無論である。【００１２】  鍔部２は、傘布ｄの固定を下方から可能ならしめる部分であり、その円周の中心は前記通風筒１の中心と同軸となる。
本考案では、傘布ｄの孔の中心と通風孔の中心とを容易に一致させることができるよう、通風筒１の外周と傘布ｄの孔を同径とし、下方から、通風筒１を傘布ｄの孔に貫通させる構造としたことによるもので、これにより通風筒１と傘布ｄは部品的に一体となって、傘布ｄの孔の中心と通風孔の中心とがその後においてもずれるようなことはなくなると同時に、通風筒１と同軸である鍔部２による傘布ｄの固定も安定するようになっている。【００１３】  図５は、下部通風部材Ｂの下面図を示したもので、本考案では十字状に間隙壁３が４枚施されている。
該間隙壁３は下部通風部材Ｂをろくろの上に設置したときに、ろくろから筒部１に空気を通風させるための間隙を設けるためのもので、設置を安定させるよう所定の厚みを施し、中心には軸柄ｃが貫通するよう考慮されている。
前述したように、通風路ではできるだけ障害物を設けずに空気を自由に流動させたほうが通風機能が高まることが経験により判明していることから、軸柄ｃの直径付近まで間隙壁３を延長する必要はなく、該間隙壁３は強度が許す限りにおいて中心から離しておく方が良い。
なお、間隙壁３の枚数や配置、高さにより通風量や強度を調整可能であることは無論である。【００１４】  図６は、本考案に係る上部笠状通風部材Ａの形状を示したもので、図７は、その正面図である。
上部笠状通風部材Ａは、下部通風部材Ｂにより傘布ｄの内側から外側へ通風させられた空気、又は風を雨水を浸水させないようにしつつ排出する部品である。
上部笠状通風部材Ａは、笠としての役割を果たすものであれば、本実施例のような形状にはとらわれないが、本実施例においては、同図に示すように、全体的には截頭円錐形状の円筒型を形成しており、笠部４の下部に複数の通風孔５を備え、その底部に鍔部６を具備している。
笠部４は、截頭円錐形状の円筒であり、通常の傘が有する傘布ｄの上部から押さえつける金属の笠形状の部品に相当するもので、本考案においては、雨水が、通風筒１に落下するのを防止する役割を有することから、筒部１よりやや径大にされており、これによって、通風路も確保されることとなっている。
笠部４の頂部には軸柄ｃと同口径の孔７を備えていて、軸柄ｃに嵌め込んで上方からスライドさせて装着するようになっている。
なお、上部笠状通風部材Ａの上面図を図７に示す。【００１５】  通風孔５は、通風筒１より通風させられた空気の排出部であり、できるだけ広い面積を得られるように図６・図７に示す形状としているが、外観を考慮して丸型等をはじめとする種々の形状としても良い。【００１６】  鍔部６は、傘布ｃの固定を上方から可能ならしめる部分であるが、外周の口径は傘をたたんで逆さにした場合の通風孔５への雨滴の侵入を防止すべく、下部通風部材Ｂの鍔部２の口径よりわずかに径大にしている。
また、鍔部６の内周の口径は、下部通風部材Ｂの通風筒１に覆いがぶせることができるように、通風筒１の外周よりわずかに径大としている。
なお、上部笠状通風部材Ａの上面図を図８に底面図を図９に示す。【００１７】  図１０は、傘布ｄのない場合において、上部笠状通風部材Ａと下部通風部材Ｂを素組みした状態を示したもので、軸柄ｃが中央を貫通し、先端部がそのまま石突となっている。係る状態では、鍔部２と鍔部６が密着しており、該部分により傘布ｃを挟持固定するようになっている。
中央部の点線は、、通風筒１の上端部を示したものであり、雨水の侵入を防ぐべく、通風筒１の上端部は通風孔５の上方開口端部より高い位置に配置されるようになっている。前記通風筒１の外周は、鍔部６の内周で嵌め込んで覆われ、これにより、上部笠状通風部材Ａと下部通風部材Ｂの中心が一致するようになっている。
本考案では、係る構造とすることにより全体の直径を２５ミリ程度に抑えることができる。ちなみに、傘のろくろの直径は２０ミリ程度であるため外観的にもほとんど違和感を与えない。
なお、傘布固定に影響がなければさらに鍔部を小口径化することによる小型化は可能である。【００１８】  本考案に係る固定具を装着した傘を生産するには、図１１に示すように、先に傘のろくろの上に下部通風部材Ｂを設置し、その後、傘布ｄの中心の孔の部分を、通風筒１の外周に嵌め込みながら鍔部２に当接するまで傘布ｄ上部から下ろす。
その後、図１２に示すように、上部笠状通風部材Ａを軸柄ｃに嵌め込んで下ろし、鍔部２と鍔部６が傘布ｄを介して密着するよう嵌着するだけでよく、これと同時に傘布ｄも固定される。
これにより、通常の傘の生産と異なる点は、二つの部品を用意することと、傘布ｄの孔の口径を通常よりやや径大にするだけとなる。
なお、完成した傘の外観を図１３に示す。【００１９】  図１４は、完成した傘の空気の流通路を示したもので、風が吹いたとき、風は間隙壁３により設けられた間隙から入って、通風筒１を通過し、笠部４によって下向きに折り返された後、通風孔５から外へ排出される。
【産業上の利用可能性】
【００２０】  本考案は、上述のような構成を有するため、通常の傘に通風機能を付加することができるという傘の有用性を高め、傘業界の発展に寄与するものである。
【図面の簡単な説明】
【００２１】
【図１】通常の傘の部品を分解した図である。
【図２】下部通風部材Ｂの斜視図である。
【図３】下部通風部材Ｂの正面図である。
【図４】下部通風部材Ｂの上面図である。
【図５】下部通風部材Ｂの底面図である。
【図６】上部笠状通風部材Ａの斜視図である。
【図７】上部笠状通風部材Ａの正面図である。
【図８】上部笠状通風部材Ａの上面図である。
【図９】上部笠状通風部材Ａの底面図である。
【図１０】上部笠状通風部材Ａと下部通風部材Ｂを連結した状態を示す図である。
【図１１】ろくろの上に下部通風部材Ｂを設置した状態を示す図である。
【図１２】上部笠状通風部材Ａを上方から嵌め込む状態を示す図である。
【図１３】完成した傘の外観を示した図である。
【図１４】完成した傘の空気の流通路を示す図である。
【符号の説明】
【００２２】ａ      笠状キャップ
ｂ      縫込み傘布
ｃ      軸柄
ｄ      傘布
ｅ      円形傘布
ｆ      ろくろ
１      通風筒
２      下部通風部材の鍔部
３      間隙壁
４      上部笠状通風部材の笠部
５      通風孔
６      上部笠状通風部材の鍔部
【図１】
0003136738.tif 000003
【図２】
0003136738.tif 000004
【図３】
0003136738.tif 000005
【図４】
0003136738.tif 000006
【図５】
0003136738.tif 000007
【図６】
0003136738.tif 000008
【図７】
0003136738.tif 000009
【図８】
0003136738.tif 000010
【図９】
0003136738.tif 000011
【図１０】
0003136738.tif 000012
【図１１】
0003136738.tif 000013
【図１２】
0003136738.tif 000014
【図１３】
0003136738.tif 000015
【図１４】
0003136738.tif 000016